(57)【要約】【課題】移動機によってユーザが独自に作成したコンテンツを基地局が配信し、よりユーザ指向なサービスを実現可能なコンテンツ配信システムを提供する。【解決手段】移動機１−１，１−２は基地局との間のエアー・インタフェースの同報チャネルの受信開始時にコンテンツチャネル内のヘッダ情報を受信し、受信可能なチャネルデータであれば単独チャネル、連送チャネル、連結チャネル、連送連結チャネルをそれぞれ識別する。移動機１−１，１−２は単独チャネル、連送チャネル、連結チャネル、連送連結チャネルそれぞれに応じてチャネルデータの受信を行い、コンテンツ受信完了であればコンテンツデータを更新して同報チャネル受信を終了する。【選択図】      図１
2004274635.tif 000002
【特許請求の範囲】
【請求項１】
在圏する移動機に共通に割り当てられた制御チャネル及び前記移動機個別に割り当てられた通信チャネルを含むエア・インタフェースにて基地局と前記移動局との間を接続する携帯電話システムであって、
前記エア・インタフェースに配設されかつ在圏する移動機各々へ同報的にコンテンツデータを配信するための制御信号を前記基地局と前記移動局との間で送受信する同報チャネルを有することを特徴とする携帯電話システム。
【請求項２】
前記同報チャネルは、上り信号を前記在圏する移動機が前記コンテンツデータを前記基地局へ登録するために用い、下り信号を前記基地局が有するコンテンツデータを前記在圏する移動機からなる移動機群へ同報配信するために用いることを特徴とする請求項１記載の携帯電話システム。
【請求項３】
前記基地局は、予め多数のコンテンツデータを収容可能なメモリを含むことを特徴とする請求項１または請求項２記載の携帯電話システム。
【請求項４】
前記基地局は、単独で前記コンテンツデータの前記メモリへの格納及び配信管理を行い、前記基地局各々のエリア毎に異なるコンテンツデータを提供することを特徴とする請求項３記載の携帯電話システム。
【請求項５】
前記メモリは、前記コンテンツデータを交互に書込み読出しを行う第１及び第２のデータバッファからなることを特徴とする請求項３または請求項４記載の携帯電話システム。
【請求項６】
予め設定された単位フレームを複数含むハイパフレームを構成するコンテンツチャネルの種類として、前記単位フレーム１つで１種類のコンテンツチャネルを構成する単独チャネルと、前記単位フレーム１つで１種類のコンテンツチャネルを構成しかつ前記ハイパフレーム内で複数の箇所に周期的に配置される連送チャネルと、前記ハイパフレーム内で周期的に配置された複数の単位フレームで１種類のコンテンツチャネルを構成する連結チャネルと、前記連送チャネルと前記連結チャネルとを組合わせた連送連結チャネルとを含むことを特徴とする請求項３から請求項５のいずれか記載の携帯電話システム。
【請求項７】
前記コンテンツデータとして、前記連送チャネル及び前記連送連結チャネルを予め一定数以上確保しておくこと特徴とする請求項６記載の携帯電話システム。
【請求項８】
前記移動機は、前記単独チャネルと前記連送チャネルと前記連結チャネルと前記連送連結チャネルとに応じた受信動作を行う手段を含むことを特徴とする請求項６または請求項７記載の携帯電話システム。
【請求項９】
在圏する移動機に共通に割り当てられた制御チャネル及び前記移動機個別に割り当てられた通信チャネルを含むエア・インタフェースにて基地局と前記移動局との間を接続する携帯電話システムのコンテンツ配信方法であって、
在圏する移動機各々へ同報的にコンテンツデータを配信するための制御信号を前記基地局と前記移動局との間で送受信する同報チャネルを前記エア・インタフェースに配設することを特徴とするコンテンツ配信方法。
【請求項１０】
前記同報チャネルは、上り信号を前記在圏する移動機が前記コンテンツデータを前記基地局へ登録するために用い、下り信号を前記基地局が有するコンテンツデータを前記在圏する移動機からなる移動機群へ同報配信するために用いることを特徴とする請求項９記載のコンテンツ配信方法。
【請求項１１】
予め多数のコンテンツデータを収容可能なメモリを前記基地局に配設したことを特徴とする請求項９または請求項１０記載のコンテンツ配信方法。
【請求項１２】
前記基地局が、単独で前記コンテンツデータの前記メモリへの格納及び配信管理を行い、前記基地局各々のエリア毎に異なるコンテンツデータを提供することを特徴とする請求項１１記載のコンテンツ配信方法。
【請求項１３】
前記メモリが、前記コンテンツデータを交互に書込み読出しを行う第１及び第２のデータバッファからなることを特徴とする請求項１１または請求項１２記載のコンテンツ配信方法。
【請求項１４】
予め設定された単位フレームを複数含むハイパフレームを構成するコンテンツチャネルの種類として、前記単位フレーム１つで１種類のコンテンツチャネルを構成する単独チャネルと、前記単位フレーム１つで１種類のコンテンツチャネルを構成しかつ前記ハイパフレーム内で複数の箇所に周期的に配置される連送チャネルと、前記ハイパフレーム内で周期的に配置された複数の単位フレームで１種類のコンテンツチャネルを構成する連結チャネルと、前記連送チャネルと前記連結チャネルとを組合わせた連送連結チャネルを含むことを特徴とする請求項１１から請求項１３のいずれか記載のコンテンツ配信方法。
【請求項１５】
前記コンテンツデータとして、前記連送チャネル及び前記連送連結チャネルを予め一定数以上確保しておくこと特徴とする請求項１４記載のコンテンツ配信方法。
【請求項１６】
前記移動機が、前記単独チャネルと前記連送チャネルと前記連結チャネルと前記連送連結チャネルとに応じた受信動作を行うことを特徴とする請求項１４または請求項１５記載のコンテンツ配信方法。
【発明の詳細な説明】
【０００１】
【発明の属する技術分野】
本発明は携帯電話システム及びそれに用いるコンテンツ配信方法に関し、特に同報チャネルを用いたコンテンツ配信技術に関する。
【０００２】
【従来の技術】
従来、複数の移動機にメッセージを伝送する方法としては、ＰＤＣ（Ｐｅｒｓｏｎａｌ  Ｄｉｇｉｔａｌ  Ｃｅｌｌｕｌａｒ）方式の場合、ショートメッセージを利用する方法がある。
【０００３】
このショートメッセージを利用する方法では、複数の移動機に対して伝送したい放送データをショートメッセージとして取り扱い、その放送データをショートメッセージと同様の手順でそれぞれの移動機に順番に伝送している。
【０００４】
ここで、ショートメッセージとは、文字による比較的短いメッセージを通信チャネルを介して伝送し、受信側ではそのメッセージを表示器に表示してユーザ間の文字による通話を可能にするものである。
【０００５】
しかしながら、上記のショートメッセージを利用する方法では、放送データを各移動機に順番に伝送しているので、放送データを受信希望の移動機全てに配信するのに多大な時間を必要とし、通信チャネルを数多く使用して放送データを伝送することとなるため、本来の機能である音声通話機能に支障を生じてしまう。
【０００６】
携帯電話システムにおけるコンテンツ配信技術としては、上述したショートメッセージを利用する方法の問題を解消するために、チャネルを時間方向に分割してなる複数のタイムスロットのうちの所定のタイムスロットを使用して別のチャネルを形成し、その別のチャネルによって基地局と移動機との間で無線回線を設立して通信を行うシステムにおいて、基地局が、上記の別のチャネルを構成するタイムスロットのうちの所定のタイムスロットを使用して放送チャネルを形成する方法が提案されている（例えば、特許文献１参照）。
【０００７】
【特許文献１】
特開２０００−２２４６４８号公報（第８，９頁、図１）
【０００８】
【発明が解決しようとする課題】
しかしながら、上述した従来のコンテンツ配信技術では、基地局が、上記の別のチャネルを構成するタイムスロットのうちの所定のタイムスロットを使用して放送チャネルを形成し、この放送チャネルにてメッセージを伝送しているので、移動機によってユーザが独自に作成したコンテンツを基地局が配信するという、よりユーザ指向なサービスを提供することができない。
【０００９】
そこで、本発明の目的は上記の問題点を解消し、移動機によってユーザが独自に作成したコンテンツを基地局が配信することができ、よりユーザ指向なサービスを実現することができる携帯電話システム及びそれに用いるコンテンツ配信方法を提供することにある。
【００１０】
【課題を解決するための手段】
本発明による携帯電話システムは、在圏する移動機に共通に割り当てられた制御チャネル及び前記移動機個別に割り当てられた通信チャネルを含むエア・インタフェースにて基地局と前記移動局との間を接続する携帯電話システムであって、
前記エア・インタフェースに配設されかつ在圏する移動機各々へ同報的にコンテンツデータを配信するための制御信号を前記基地局と前記移動局との間で送受信する同報チャネルを備えている。
【００１１】
本発明によるコンテンツ配信方法は、在圏する移動機に共通に割り当てられた制御チャネル及び前記移動機個別に割り当てられた通信チャネルを含むエア・インタフェースにて基地局と前記移動局との間を接続する携帯電話システムのコンテンツ配信方法であって、
在圏する移動機各々へ同報的にコンテンツデータを配信するための制御信号を前記基地局と前記移動局との間で送受信する同報チャネルを前記エア・インタフェースに配設している。
【００１２】
すなわち、本発明のコンテンツ配信システムは、ＰＤＣ（Ｐｅｒｓｏｎａｌ  Ｄｉｇｉｔａｌ  Ｃｅｌｌｕｌａｒ）方式の携帯電話システムにおいて、同報配信専用の物理チャネル（同報チャネル）を用いたコンテンツ配信サービスのエア・インタフェースの構成を実現するものである。
【００１３】
本発明のコンテンツ配信システムでは、予め多数のコンテンツデータを収容可能なメモリ容量を基地局が有することを前提とし、その上で、コンテンツの内容・趣向に応じて、リアルタイム性の高いコンテンツの更新周期を短くし、データ量の多いコンテンツの配信チャネル数を増やし、かつ柔軟性のある設定を可能とすることを特徴としている。
【００１４】
これによって、本発明のコンテンツ配信システムでは、携帯電話システムにおける同報配信によるコンテンツ配信サービスにおいて、コンテンツのサイズやリアルタイム性においてフレキシブルな設定が可能となる。
【００１５】
また、本発明では、基地局単独でコンテンツ情報を格納・管理することで、エリア毎に異なるコンテンツを提供することと、ユーザ自身がコンテンツデータを更新することを想定としている。この場合、コンテンツチャネルの幅広い用途が考えられ、例えば、地域商店街のバーゲン情報や時間限定のタイムサービス、及び地域限定の掲示版システムといった内容である。このような一種の多目的掲示板システムに、本発明は有効であると考えられる。但し、本発明では上り同報チャネルを使用したコンテンツデータによるコンテンツデータの更新手順を対象としていない。
【００１６】
【発明の実施の形態】
次に、本発明の実施例について図面を参照して説明する。図１は本発明の一実施例によるコンテンツ配信システムの構成を示すブロック図である。図１においては、ＰＤＣ（Ｐｅｒｓｏｎａｌ  Ｄｉｇｉｔａｌ  Ｃｅｌｌｕｌａｒ）方式の携帯電話システムにおける基地局２と移動機１−１，１−２とのエア・インタフェースにおける物理チャネルの構成を示している。
【００１７】
制御チャネル、通信チャネルは現在の携帯電話サービスで使用されている物理チャネルそのものである。制御チャネルは在圏する移動機１−１，１−２からなる移動機群に共通のチャネルであり、位置登録信号や呼接続のための制御信号が送受信される。通信チャネルは呼接続処理の結果、移動機１−１，１−２の個別に割り当てられ、音声や非音声データのトラヒック信号が送受信される。
【００１８】
これに対し、同報チャネルは在圏する移動機１−１，１−２からなる移動機群へ同報的にコンテンツデータを配信するための制御信号が送受信される。上り信号は在圏する移動機１−２がコンテンツデータを基地局２へ登録するために用いられる。下り信号は基地局２が有するコンテンツデータを在圏する移動機１−１，１−２からなる移動機群へ同報配信するために用いられる。
【００１９】
コンテンツデータの更新は移動機１−１，１−２、または網に存在するコンテンツ・サーバから基地局２へコンテンツデータを送信し、基地局２にてコンテンツデータの蓄積・更新を行う。
【００２０】
図２は図１の移動機１−１，１−２の構成を示すブロック図である。図２において、移動機１はアンテナ１１と、送受信共用器１２と、受信部１３と、ユーザデータ分離部１４と、コンテンツ受信制御部１５と、メモリ１６と、コンテンツ生成部１７と、信号合成部１８と、送信部１９と、上記の移動機１の各部を実現するためのプログラム（コンピュータで実行可能なプログラム）を格納する記録媒体２０とを含んで構成されている。尚、移動機１の呼制御部分、音声入出力部分、表示部分については、公知の技術が適用可能であるので、それらの構成及び動作についての説明は省略する。
【００２１】
受信部１３はアンテナ１１及び送受信共用器１２を介して受信した信号をユーザデータ分離部１４に送出する。ユーザデータ分離部１４は受信部１３で受信した受信信号からユーザ情報（音声信号、画像信号等）を分離し、ユーザ情報をコンテンツ受信制御部１５と、上述した移動機１の呼制御部分、音声出力部分、表示部分にそれぞれ送出する。
【００２２】
コンテンツ受信制御部１５は後述するようなコンテンツ受信制御を行い、図示せぬ基地局から同報チャネルを介して受信したコンテンツをメモリ１６に蓄積する。コンテンツ生成部１７はメモリ１６に格納された情報や外部から入力される情報を基にコンテンツを生成して信号合成部１８に出力する。
【００２３】
信号合成部１８はコンテンツ生成部１７からのコンテンツデータ、移動機１の呼制御部分や音声入力部分等の外部からの入力信号等を合成し、その合成した信号を送信部１９及び送受信共用器１２を介してアンテナ１１から発信する。尚、コンテンツ生成部１７で生成されたコンテンツデータを上り信号等にて基地局に送信する。
【００２４】
図３は図１の基地局２の構成を示すブロック図である。図３において、基地局２はアンテナ２１と、送受信共用器２２と、受信部２３と、ユーザデータ分離部２４と、コンテンツ配信制御部２５と、２面のデータバッファ（Ａ，Ｂ）２６，２７と、信号合成部２８と、送信部２９と、上記の基地局２の各部を実現するためのプログラム（コンピュータで実行可能なプログラム）を格納する記録媒体３０とを含んで構成されている。尚、基地局２の呼制御部分、音声入出力部分、表示部分については、公知の技術が適用可能であるので、それらの構成及び動作についての説明は省略する。
【００２５】
受信部２３はアンテナ２１及び送受信共用器２２を介して受信した信号をユーザデータ分離部２４に送出する。ユーザデータ分離部２４は受信部２３からの受信信号をユーザ情報（音声信号、画像信号等）等に分離し、ユーザ情報をコンテンツ配信制御部２５と、上述した基地局２の呼制御部分、音声出力部分、表示部分とに送出する。
【００２６】
コンテンツ配信制御部２５は図示せぬ基地局制御装置を介して送られてくるコンテンツサーバ（図示せず）からのコンテンツデータ、移動機１から上り信号等にて送られてくるコンテンツデータをデータバッファ（Ａ，Ｂ）２６，２７に交互に書込み、またデータバッファ（Ａ，Ｂ）２６，２７から交互に読出したコンテンツデータを信号合成部２８に送出する。
【００２７】
信号合成部２８は基地局制御装置からのユーザ情報（音声信号、画像信号等）と、コンテンツ配信制御部２５からのコンテンツデータとを合成し、その合成した信号を送信部２９及び送受信共用器２２を介してアンテナ２１から発信する。
【００２８】
図４は図１に示す同報チャネルのエア・インタフェース上の構造を示す図である。図４において、移動機１−１，１−２と基地局２との間の送受信を容易にするために、同報チャネルは制御チャネルと同一のコーディング及び送受信タイミングとする。
【００２９】
また、制御チャネルと同様に、下り方向はスーパフレームタイミングでの周期性を持ち、１スーパフレームで１コンテンツチャネルを構成する。１番目のスーパフレームで１番目のコンテンツチャネル情報を配信し、２番目のスーパフレームで２番目のコンテンツチャネル情報を配信する。スーパフレームが繰り返される毎に配信データは次のコンテンツチャネルへ遷移していく。ｎ番目のスーパフレームでｎ番目のコンテンツチャネル情報が配信され、全てのコンテンツチャネル情報を配信完了となる。その後は、もう一度最初に戻り、１番目のスーパフレームとして１番目のコンテンツチャネル情報が配信される。
【００３０】
このように、コンテンツチャネル上限数ｎ個分のスーパフレームの集合を、ハイパフレームと呼ぶ。ハイパフレーム長はスーパフレームを単位オペレータの設定によって変更可能であるが、ユーザへ多種多様なコンテンツを提供するため、なるべく大きい方が望ましい。実際には、基地局２が有するメモリ容量による制約を受ける。また、後述する連送／連結を周期的に行うために、ハイパフレーム長ｎは２のべき乗値となる。
【００３１】
図５は本発明の一実施例によるハイパフレームの構造例を示す図であり、図６は図５に示す４種類のコンテンツチャネルを組合わせた構成例を示す図である。図５及び図６において、本発明の一実施例ではハイパフレームを構成するコンテンツチャネルに後述の４種類を設けている。
【００３２】
１つ目の種類は単独チャネルであり、１つのスーパフレームで１種類のコンテンツチャネルを構成する。２つ目の種類は連送チャネルであり、１つのスーパフレームで１種類のコンテンツチャネルを構成するが、ハイパフレーム内で複数の箇所に周期的に配置される。
【００３３】
３つ目の種類は連結チャネルであり、ハイパフレーム内で周期的に配置された複数のスーパフレームで１種類のコンテンツチャネルを構成する。４つ目の種類は連送連結チャネルであり、上記の連送チャネルと上記の連結チャネルとを組合わせたものである。すなわち、複数のフレームで１種類のコンテンツチャネルを構成するが、ハイパフレーム内で複数の箇所に周期的に配置される。
【００３４】
図７〜図９は図１の移動機１−１，１−２におけるコンテンツデータの受信動作例を示すフローチャートであり、図１０は本発明の一実施例による同報チャネルにおける移動機１−１，１−２の電源投入後の同報チャネル受信によるコンテンツデータの受信動作例を示す図である。これら図７〜図１０を参照して移動機１−１，１−２におけるコンテンツデータの受信動作について説明する。
【００３５】
移動機１−１，１−２は同報チャネル受信開始時に、スーパフレームを構成する全てのタイムスロットを受信せずとも先頭から数フレーム程度のタイムスロット受信で、コンテンツチャネル内のヘッダ情報（ハイパフレーム長情報、スーパフレーム番号、コンテンツ番号）を受信する（図７ステップＳ１〜Ｓ３）。
【００３６】
移動機１−１，１−２はその受信したヘッダ情報から自局で受信可能なチャネルデータかどうかを判別し（図７ステップＳ４）、受信可能なチャネルデータであれば単独チャネル、連送チャネル、連結チャネル、連送連結チャネルをそれぞれ識別する（図７ステップＳ５）。
【００３７】
移動機１−１，１−２は単独チャネルであれば、チャネルデータを取得し（図７ステップＳ６）、コンテンツ受信完了であれば（図７ステップＳ７）、コンテンツデータを更新し（図７ステップＳ８）、同報チャネル受信を終了する。
【００３８】
また、移動機１−１，１−２は連送チャネルであれば、総連送数を取得し（図７ステップＳ９）、その総連送数にしたがってチャネルデータを取得し（図７ステップＳ６）、コンテンツ受信完了であれば（図７ステップＳ７）、コンテンツデータを更新し（図７ステップＳ８）、同報チャネル受信を終了する。
【００３９】
さらに、移動機１−１，１−２は連結チャネルであれば、総連結数を取得するとともに（図８ステップＳ１０）、連結番号を取得し（図８ステップＳ１１）、その連結番号にしたがってチャネルデータを取得し（図７ステップＳ６）、コンテンツ受信完了であれば（図７ステップＳ７）、コンテンツデータを更新し（図７ステップＳ８）、同報チャネル受信を終了する。
【００４０】
さらにまた、移動機１−１，１−２は連送連結チャネルであれば、総連送数を取得し（図９ステップＳ１２）、総連結数を取得するとともに（図９ステップＳ１３）、連結番号を取得し（図９ステップＳ１４）、その連結番号にしたがってチャネルデータを取得し（図７ステップＳ６）、コンテンツ受信完了であれば（図７ステップＳ７）、コンテンツデータを更新し（図７ステップＳ８）、同報チャネル受信を終了する。
【００４１】
上述したヘッダ情報には、ハイパフレーム長情報、スーパフレーム番号、コンテンツ番号、単独／連送／連結識別子、総連結数、総連送数、連結番号、及び更新番号が最低限の情報として含まれている。尚、ハイパフレーム長情報は、必ずしも本同報チャネル上に含まれる必要はなく、例えば、制御チャネルで配信される報知情報中に含まれても良い。
【００４２】
移動機１−１，１−２はスーパフレーム番号から、ハイパフレームの先頭から何スーパフレーム目かを認識すると同時に、本タイミングからハイパフレーム長分のスーパフレームを受信することで、全ての受信可能なチャネルデータを受信することができる。
【００４３】
また、移動機１−１，１−２はコンテンツ番号を、予め登録されている自局が可能なコンテンツ番号と照会し、受信の可否を判定する。移動機１−１，１−２は登録済みのコンテンツ番号ならば受信可能と判定し、後続のタイムスロットを受信するが、未登録ならばその時点から次のスーパフレーム開始まで受信する必要がない。
【００４４】
単独／連送／連結識別子はそれぞれに独立したビットが割り振られており、いずれか一つのビットが立つが、連送連結チャネルのみ、連送チャネルの識別子と連結チャネルの識別子との両方にビットが立つ。
【００４５】
総連送数は連送チャネルまたは連送連結チャネルの場合に有効となる。これによって、１ハイパフレーム中にて該当コンテンツデータが送信される周期を算出することができる。例えば、ハイパフレーム長が「１２８」、総連送情報が「４」であれば、該当コンテンツチャネルの送信周期は３２スーパフレームとなる。連送連結チャネルの場合には、総連結数に総連送数を掛け合わせた値となる。
【００４６】
総連結数は連結チャネルまたは連送連結チャネルの場合に有効となる。これによって、１ハイパフレーム中にて該当コンテンツデータが送信される周期を算出することができる。例えば、ハイパフレーム長が「１２８」、総連結情報が「４」であれば、該当コンテンツチャネルの送信周期は３２スーパフレームとなる。連送連結チャネルの場合には、総連結数に総連送数を掛け合わせた値となる。
【００４７】
連結番号は連結チャネルまたは連送連結チャネルの場合に有効となる。これによって、該当コンテンツの何番目の連結チャネルかを把握し、順番通りに組み立てることが可能となる。
【００４８】
このように、本実施例では、図１０に示すように、取得したヘッダ情報からコンテンツデータの格納方法を把握した上で、続くタイムスロットを受信し、チャネルデータを取得している。
【００４９】
単独チャネルまたは連送チャネルの場合には、移動機１−１，１−２のメモリ（図示せず）内の受信済みチャネルデータをコンテンツデータとして格納する。その際、ヘッダ情報から既に取得済みの更新番号も併せて格納する。
【００５０】
連結チャネルまたは連送連結チャネルの場合には、移動機１−１，１−２のメモリ内にチャネルデータを一旦テンポラリデータとして格納し、更新番号及びコンテンツ番号が同一な全ての連結番号分のチャネルデータを受信完了した時点で、コンテンツデータ及び更新番号を格納する。この処理をハイパフレーム長分繰り返すことで、自局が受信可能な全てのチャネルデータを受信し、コンテンツデータとして格納することができる。
【００５１】
移動機１−１，１−２は上記の処理によって、一旦同報チャネルの受信動作を終了する。尚、移動機１−１，１−２は同報チャネル受信動作中も、制御チャネルの待ち受け受信動作を並行して行う。また、本動作は、電源投入直後だけでなく、異なるコンテンツを配信するエリアに移行した場合や、コンテンツ内容の変更や連結／連送チャネル構成の変更等マッピング情報に変更があった場合にも行われる。
【００５２】
図１１は図１の移動機１−１，１−２において一旦全てのコンテンツデータを受信した後の同報チャネル受信動作例を示すフローチャートである。図１１においては、自局にて受信可能なスーパフレーム番号を既に認識しているため、該当スーパフレームのみを受信すればよい。
【００５３】
すなわち、移動機１−１，１−２は同報チャネル受信開始時に、該当するスーパーフレームの先頭から数フレーム程度のヘッダ情報（スーパフレーム番号、コンテンツ番号）のみを受信し（図１１ステップＳ２１，Ｓ２２）、その受信したヘッダ情報から自局で受信可能なチャネルデータかどうかを判別する（図１１ステップＳ２３）。
【００５４】
移動機１−１，１−２は受信可能なチャネルデータであれば、更新番号を取得し（図１１ステップＳ２４）、その更新番号が異なる場合に更新されたと判定し（図１１ステップＳ２５）、後続のタイムスロットを受信してチャネルデータを取得し（図１１ステップＳ２６）、コンテンツ受信完了であれば（図１１ステップＳ２７）、コンテンツデータを更新し（図１１ステップＳ２８）、同報チャネル受信を終了する。
【００５５】
この時、上述した受信動作と同様に、移動機１−１，１−２は単独チャネル／連結チャネル／連送チャネル／連送連結チャネルにそれぞれ応じた受信動作を行う。連結チャネル／連送連結チャネルの場合には、該当コンテンツチャネルの全てのチャネルデータを受信完了した時点で、移動機１−１，１−２のメモリ内の受信済みコンテンツデータ及び更新番号を更新する。
【００５６】
また、ヘッダ情報から更新番号が同一であった場合には、他のスーパフレームも含めて、更新されていないため、受信する必要がない。尚、移動機１−１，１−２は同報チャネル受信動作中も、制御チャネルの待ち受け受信動作を並行して行う。
【００５７】
図１２は図１の基地局２における同報チャネルの送信データの格納例を示す図である。基地局２はハイパフレーム長を運用パラメータとして記憶しており、その数分、マッピング情報を有する。また、基地局２は配信するコンテンツデータを格納するデータバッファを２面有し、それらのデータバッファはコンテンツデータが更新される度に交互に使用される。実際には、上記のデータを、取りうるハイパフレーム長の最大値分確保することができるだけのメモリが必要となる。
【００５８】
マッピング情報にはヘッダ情報のうち、コンテンツ番号、単独／連送／連結識別子、総連結数、総連送数、連結番号が最低限含まれる。また、マッピング情報には、マッピング情報とは別に送信するチャネルデータの格納位置を示す参照ポインタも含まれる。
【００５９】
データバッファには全てのコンテンツデータが、更新番号とともに含まれる。片面の容量は全チャネルデータ分必要であるが、連送チャネル及び連結連送チャネルのデータは「連送回数−１」分のチャネルデータを割愛することができるため、空きが生じる。
【００６０】
基地局２は該当スーパフレームでの送信の直前に、マッピング情報を参照し、ポインタ情報から該当するデータバッファを読込む。また、更新番号を参照して先のマッピング情報及びハイパフレーム長と組み合わせてヘッダ情報を生成する。このようにして、該当スーパフレームでの送信データが生成される。
【００６１】
また、新たなコンテンツデータが移動機１−２からの上り信号等にて発生した場合には、そのデータを送信用に使用していない他方のデータバッファの該当位置に格納する。
【００６２】
さらに、基地局２では該当コンテンツデータを送信中でない限り、マッピング情報の参照ポインタを、更新した他方のデータバッファを示すように切替える。送信中の場合には更新したことを一旦記憶しておき、送信完了後に切替える。これによって、本実施例では、必ずハイパフレームの先頭からコンテンツデータが更新されることになる。
【００６３】
このように、本実施例では、携帯電話システムにおける同報配信によるコンテンツ配信サービスにおいて、コンテンツのサイズやリアルタイム性においてフレキシブルな設定が可能となる。
【００６４】
本実施例では、基地局２単独でコンテンツ情報を格納・管理することで、エリア毎に異なるコンテンツを提供することと、ユーザ自身がコンテンツデータを更新することとを想定としている。この場合には、コンテンツチャネルの幅広い用途が考えられる。例えば、地域商店街のバーゲン情報や時間限定のタイムサービス、及び地域限定の掲示版システムといった内容である。本実施例はこのような一種の多目的掲示板システムに有効である。但し、本実施例では上り同報チャネルを使用したコンテンツデータによるコンテンツデータの更新手順を対象としていない。
【００６５】
本発明の一実施例では、データバッファを２面としているので、コンテンツチャネルの数及びサイズを大きくすることによって、基地局２のメモリ容量もコンテンツデータの２倍分必要になる。このため、本発明の一実施例では、連送チャネル及び連送連結チャネルを予め一定数以上確保しておくことによって、発生する空き容量の分だけメモリを節約することができる。
【００６６】
例えば、連送回数「２」の連送チャネル「４個分」と、連送回数「４」の連送チャネル「２個分」と、連送回数「２」、連結回数「２」の連送連結チャネル「２個分」とを、構成上最低限有することと前もって定義しておけば、（２−１）×４＋（４−１）×２＋（２−１）×２×２＝１４個分のチャネルデータを２面分だけ割愛することができる。
【００６７】
【発明の効果】
以上説明したように本発明は、上記のような構成及び動作とすることで、移動機によってユーザが独自に作成したコンテンツを基地局が配信することができ、よりユーザ指向なサービスを実現することができるという効果が得られる。
【図面の簡単な説明】
【図１】本発明の一実施例によるコンテンツ配信システムの構成を示すブロック図である。
【図２】図１の移動機の構成を示すブロック図である。
【図３】図１の基地局の構成を示すブロック図である。
【図４】図１に示す同報チャネルのエア・インタフェース上の構造を示す図である。
【図５】本発明の一実施例によるハイパフレームの構造例を示す図である。
【図６】図５に示す４種類のコンテンツチャネルを組合わせた構成例を示す図である。
【図７】図１の移動機におけるコンテンツデータの受信動作例を示すフローチャートである。
【図８】図１の移動機におけるコンテンツデータの受信動作例を示すフローチャートである。
【図９】図１の移動機におけるコンテンツデータの受信動作例を示すフローチャートである。
【図１０】本発明の一実施例による同報チャネルにおける移動機の電源投入後の同報チャネル受信によるコンテンツデータの受信動作例を示す図である。
【図１１】図１の移動機において一旦全てのコンテンツデータを受信した後の同報チャネル受信動作例を示すフローチャートである。
【図１２】図１の基地局における同報チャネルの送信データの格納例を示す図である。
【符号の説明】
１，１−１，１−２  移動機
２  基地局
１１，２１  アンテナ
１２，２２  送受信共用器
１３，２３  受信部
１４，２４  ユーザデータ分離部
１５  コンテンツ受信制御部
１６  メモリ
１７  コンテンツ生成部
１８，２８  信号合成部
１９，２９  送信部
２０，３０  記録媒体
２５  コンテンツ配信制御部
２６  データバッファ（Ａ）
２７  データバッファ（Ｂ）
【図１】
2004274635.tif 000003
【図２】
2004274635.tif 000004
【図３】
2004274635.tif 000005
【図４】
2004274635.tif 000006
【図５】
2004274635.tif 000007
【図６】
2004274635.tif 000008
【図７】
2004274635.tif 000009
【図８】
2004274635.tif 000010
【図９】
2004274635.tif 000011
【図１０】
2004274635.tif 000012
【図１１】
2004274635.tif 000013
【図１２】
2004274635.tif 000014